【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数のオブジェクトが所定間隔で配置されたオブジェクト領域を含む入力画像を拡大するための拡大処理ステップと、
前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、
前記特徴量演算処理ステップにより作成された前記特徴量データの各画素をしきい値処理することにより、各画素を特徴領域と非特徴領域とに分類し、分類データを作成するための特徴量分類処理ステップと、
前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、
前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、
前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、
前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップと、をコンピュータに実行させる、画像特徴領域分割プログラム。
【請求項２】
複数のオブジェクトが所定間隔で配置されたオブジェクト領域を含む入力画像を拡大するための拡大処理ステップと、
前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、
前記特徴量演算処理ステップにより作成された前記特徴量データの各画素をしきい値処理することにより、各画素を特徴領域と非特徴領域とに分類し、分類データを作成するための特徴量分類処理ステップと、
前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、
前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、
前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、
前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップと、
前記分類データのサイズを縮小するための縮小処理ステップと、をコンピュータに実行させる、画像特徴領域分割プログラム。
【請求項３】
複数のオブジェクトが所定間隔で配置されたオブジェクト領域を含む入力画像を拡大するための拡大処理ステップと、
前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、
前記特徴量演算処理ステップにより作成された前記特徴量データのサイズを縮小するための縮小処理ステップと、
前記縮小処理ステップにより縮小された前記特徴量データの各画素をしきい値処理することにより、各画素を特徴領域と非特徴領域とに分類し、分類データを作成するための特徴量分類処理ステップと、
前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、
前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、
前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、
前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップと、をコンピュータに実行させる、画像特徴領域分割プログラム。
【請求項４】
前記第１の膨張量は、２ピクセルである、請求項１〜３のいずれかに記載の画像特徴領域分割プログラム。
【請求項５】
前記第１の領域削除処理ステップでは、前記小片内の画素数を４連結または８連結でカウントし、該カウントされた画素数によって、前記小片を前記特徴領域から削除する、請求項１〜４のいずれかに記載の画像特徴領域分割プログラム。
【請求項６】
前記縮小処理ステップでは、前記拡大処理ステップでの拡大倍率の逆数に基づいて、縮小処理を行なう、請求項２または３に記載の画像特徴領域分割プログラム。
【請求項７】
前記第２の領域膨張処理ステップによる領域膨張の処理の後、前記第２の領域削除処理ステップによる削除の処理の前に、前記特徴領域を領域縮退させるための領域縮退処理ステップをさらに含む、請求項１〜６のいずれかに記載の画像特徴領域分割プログラム。
【請求項８】
請求項１〜７のいずれかに記載の画像特徴領域分割プログラムが記録されたコンピュータ読取可能な記録媒体。
【手続補正２】
【補正対象書類名】明細書
【補正対象項目名】発明の名称
【補正方法】変更
【補正の内容】
【発明の名称】画像特徴領域分割プログラムおよびコンピュータ読取可能な記録媒体
【手続補正３】
【補正対象書類名】明細書
【補正対象項目名】０００１
【補正方法】変更
【補正の内容】
【０００１】
本発明は、画像特徴領域分割プログラムおよびコンピュータ読取可能な記録媒体に関する。
【手続補正４】
【補正対象書類名】明細書
【補正対象項目名】０００４
【補正方法】変更
【補正の内容】
【０００４】
本発明は上述の課題を解決するためになされたもので、その目的は、オブジェクトとオブジェクトとの間のわずかな平坦領域等も正確に特徴量として表現することができる画像特徴領域分割プログラムおよびこれが記録されたコンピュータ読取可能な記録媒体を提供することである。
【手続補正５】
【補正対象書類名】明細書
【補正対象項目名】０００５
【補正方法】変更
【補正の内容】
【０００５】
本発明の他の目的は、特徴量の分解能に優れ、細かく正確に目的の特徴領域を他の領域と分割することができる画像特徴領域分割プログラムおよびこれが記録されたコンピュータ読取可能な記録媒体を提供することである。
【手続補正６】
【補正対象書類名】明細書
【補正対象項目名】０００６
【補正方法】変更
【補正の内容】
【０００６】
本発明のある局面に従う画像特徴領域分割プログラムは、複数のオブジェクトが所定間隔で配置されたオブジェクト領域を含む入力画像を拡大するための拡大処理ステップと、前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、前記特徴量演算処理ステップにより作成された前記特徴量データの各画素をしきい値処理することにより、各画素を特徴領域と非特徴領域とに分類し、分類データを作成するための特徴量分類処理ステップと、前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップとを含む。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
本発明の他の局面に従う画像特徴領域分割プログラムは、複数のオブジェクトが所定間隔で配置されたオブジェクト領域を含む入力画像を拡大するための拡大処理ステップと、前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、前記特徴量演算処理ステップにより作成された前記特徴量データの各画素をしきい値処理することにより、各画素を特徴領域と非特徴領域とに分類し、分類データを作成するための特徴量分類処理ステップと、前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップと、前記分類データのサイズを縮小するための縮小処理ステップとを含む。
【手続補正１１】
【補正対象書類名】明細書
【補正対象項目名】００１１
【補正方法】変更
【補正の内容】
【００１１】
本発明の他の局面に従う画像特徴領域分割プログラムは、複数のオブジェクトが所定間隔で配置されたオブジェクト領域を含む入力画像を拡大するための拡大処理ステップと、
前記拡大処理ステップにより拡大された画像の特徴量を、当該画像のピクセルごとに当該ピクセルおよびその近傍の所定範囲のピクセルに対して複数の演算オペレータを用いて演算し、特徴量データを作成するための特徴量演算処理ステップと、前記特徴量演算処理ステップにより作成された前記特徴量データのサイズを縮小するための縮小処理ステップと、前記縮小処理ステップにより縮小された前記特徴量データの各画素をしきい値処理することにより、各画素を特徴領域と非特徴領域とに分類し、分類データを作成するための特徴量分類処理ステップと、前記特徴量分類処理ステップにより作成された前記分類データのうちの前記特徴領域を、前記所定間隔で配置されたオブジェクト領域の各々のオブジェクト同士を統合させることなく当該特徴領域の少なくとも一部を統合させるための第１の膨張量で領域膨張させるための第１の領域膨張処理ステップと、前記第１の領域膨張処理ステップにより領域膨張された前記特徴領域を構成する小片のうち、前記所定間隔で配置されたオブジェクトのサイズを超える予め定めた第１のサイズ以上の小片を前記特徴領域から削除するための第１の領域削除処理ステップと、前記第１の領域削除処理ステップによって前記第１のサイズ以上の小片が削除されている特徴領域を、前記所定間隔で配置されたオブジェクト領域の各々のオブジェクト同士を統合させるための第２の膨張量で領域膨張させるための第２の領域膨張処理ステップと、前記特徴領域を構成する各々の小片の中から、前記第２の領域膨張処理ステップによって統合された前記所定間隔で配置されたオブジェクト領域のサイズ未満の予め定めた第２のサイズ以下の大きさの小片を前記特徴領域から削除するための第２の領域削除処理ステップとを含む。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】０１１７
【補正方法】変更
【補正の内容】
【０１１７】
また、画像特徴量計算装置より出力される特徴量データの解像度は、入力画像の解像度と同じである。このため、特徴量データを受取る特徴量データ出力装置のメモリが少なくてすむ。
また、入力画像を拡大した後に、特徴量データを作成し、その特徴量データに基づいて、特徴領域の抽出が行なわれる。このように、特徴量データの分解能が優れているため、細かく正確に目的の特徴領域を他の領域と分割することができる。
特に、入力画像を拡大した後にエッジや線の特徴量の計算をすることにより、細かな線の位置や文字間のわずかな平坦領域等も、より正確に抽出することができる。
また、特徴領域の膨張および縮退を行なうことにより、ノイズ成分を除去することが可能となる。また、縮小処理手段で特徴量データが縮小される。このため、特徴量データを受取る装置のメモリが少なくてすむ。
また、特徴領域の抽出は、縮小後の特徴量データに基づいて行なわれる。このため、特徴領域にかかる処理時間を短縮することができる。また、拡大処理手段での拡大倍率の逆数に基づいて縮小処理を行なうことにより、入力画像と同じ大きさの分類データを得ることができる。